(57)【特許請求の範囲】
【請求項１】
管理装置及び起動するたびに前記管理装置に接続する被管理装置を、互いに接続する通信用のケーブルに設けられる、変成器及び可変抵抗を有するインピーダンス調整部の、前記可変抵抗の抵抗値を設定する抵抗設定装置であって、
前記可変抵抗の複数の抵抗値において、前記被管理装置を再起動させる再起動部と、
前記被管理装置の再起動時における接続要求を、前記複数の抵抗値毎に監視して要求結果を格納する格納部と、
前記格納部が格納する要求結果に基づいて前記可変抵抗の抵抗値を設定する設定部と
を備えることを特徴とする抵抗設定装置。
【発明の詳細な説明】
【０００１】
【発明の属する技術分野】
本発明は、通信ケーブルに用いられる抵抗設定装置に関する。特に本発明は、適切な値に終端抵抗値を設定できる抵抗設定装置に関する。
【０００２】
【従来の技術】
例えばＰＨＳシステムの主制御装置と親局間に代表されるように、ＴＣＭ（Time Compression Multiplexing）方式を採用する通信システムが複数種類ある。ＴＣＭ方式は、同一のケーブル上において、送信と受信の通信時間を交互に切り換えて双方向伝送を実現する方式である。
【０００３】
【発明が解決しようとする課題】
ＴＣＭ方式など、ケーブルを用いる通信方式において、信号は、ケーブルの種類、太さ、長さの影響により、減衰する。また、端部において信号が反射するため、信号の波形が乱れる。
これを防ぐには、ケーブル終端に、線路インピーダンス調整部を設ける必要がある。しかし、従来は、オシロスコープを用いてマニュアルで線路インピーダンス調整部を構成する終端抵抗を構成する終端抵抗の抵抗値を決定していた。従って、ケーブルの通信環境の変化に応じて最適な抵抗値を設定することは難しかった。
【０００４】
そこで、本発明は、上記の課題を解決することのできる抵抗設定装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、管理装置及び起動するたびに管理装置に接続する被管理装置を、互いに接続する通信用のケーブルに設けられる、変成器及び可変抵抗を有するインピーダンス調整部の、可変抵抗の抵抗値を設定する抵抗設定装置であって、可変抵抗の複数の抵抗値において、被管理装置を再起動させる再起動部と、被管理装置の再起動時における接続要求を、複数の抵抗値毎に監視して要求結果を格納する格納部と、格納部が格納する要求結果に基づいて可変抵抗の抵抗値を設定する設定部とを備えることを特徴とする抵抗設定装置を提供する。
なお、上記の発明の概要は、本発明の必要な特徴の全てを列挙したものではなくこれらの特徴群のサブコンビネーションも又発明となりうる。
【０００６】
【発明の実施の形態】
以下、発明の実施形態を通じて本発明を説明するが、以下の実施形態はクレームにかかる発明を限定するものではなく、また実施形態の中で説明されている特徴の組み合わせの全てが発明の解決手段に必須であるとは限らない。
【０００７】
図１は、本発明の１実施形態である通信システムの構成例を示す。本通信システムは、ＰＨＳシステムであり、主制御装置１００、親局２００、及び子機２０２を備える。主制御装置１００は、複数の親局２００と、通信用のケーブル５０を介して接続する。親局２０２のそれぞれは、無線により、複数の子機２０２と通信する。主制御装置１００は、本発明に係る管理装置の一例であり、親局２００は、本発明に係る被管理装置の一例である。
【０００８】
図２は、主制御装置１００と親局２００の接続構成例を示す。本例において、ケーブル５０は、並列する２本のケーブル５２及び５４より構成される。
【０００９】
主制御装置１００は、通信制御部１１０、及び抵抗設定装置１３０を有する。通信制御部１１０とケーブル５２及び５４は、２つのコイル１２２及び１２４からなるインピーダンス変換器１２０を介して互いに信号を交換する。ケーブル側のコイルであるコイル１２２は、ケーブル５２の端部とケーブル５４の端部を互いに接続する。
【００１０】
通信制御部１１０は、主制御装置１００からの送受信を制御する。例えば本ＰＨＳシステムがＴＣＭ方式で通信を行う場合、通信制御部１１０は、送信・受信の切換を、親局２００と同期しつつ制御する。
【００１１】
抵抗設定装置１３０は、可変抵抗器１４０、及び制御部１５０を有する。
可変抵抗器１４０は、ケーブル５２とケーブル５４の間に、コイル１２２に対して並列に設けられる。すなわち、可変抵抗器１４０は、コイル１２２と共に線路インピーダンス調整部を構成する。
制御部１５０は、可変抵抗器１４０の抵抗値を調整することで、前記した線路インピーダンス調整部が最適な経路インピーダンスに調整する。より詳細には、制御部１５０は、ＣＰＵ１５２及びメモリ１５４を有する。ＣＰＵ１５２は、本発明に係る再起動部及び設定部の一例である。メモリ１５４は、本発明に係る格納部の一例である。ＣＰＵ１５２は、可変抵抗器１４０の抵抗値を変化させる。
そして、ＣＰＵ１５２は、可変抵抗器１４０の複数の抵抗値において、親局２００を再起動させる。メモリ１５４は、親局２００の再起動時における接続要求、例えばログオン要求を、複数の抵抗値毎に監視して受信結果を格納する。ＣＰＵ１５２は、メモリ１５４が格納する受信結果に基づいて可変抵抗器１４０の最適な抵抗値を判断して設定する。メモリ１５４は、例えば不揮発性メモリである。
【００１２】
親局２００は、通信制御部２１０を有する。通信制御部２１０とケーブル５２及び５４は、２つのコイル２２２及び２２４からなるインピーダンス変換器２２０を介して互いに信号を交換する。ケーブル側のコイルであるコイル２２２は、ケーブル５２の端部とケーブル５４の端部を互いに接続する。
【００１３】
図３は、抵抗設定措置１３０のメモリ１５４に格納されているデータの構成をテーブル形式で示す。本例におけるデータは、抵抗の設定値と、その設定値における通信結果とを対応して格納する。すなわち、ＣＰＵ１５２が可変抵抗器１４０の抵抗値を変化させる。ここで好ましくは、抵抗値を段階的に変化させる。そして、各抵抗値において、親局２００の再起動時の通信の結果をメモリ１５４に格納する。この結果を見ることで、ＣＰＵ１５２は、可変抵抗器１４０の最適な設定値を判断できる。
【００１４】
図４は、抵抗設定装置１３０の動作の一例を示す。まず、終端設定モードに設定される（ステップＳ１０）と、ＣＰＵ１５２は、抵抗設定値を初期値、例えば０に設定する（ステップＳ２０）。そして、最適な抵抗値を検出するための処理を行う（ステップＳ３０）。そして、最適抵抗値の有無を検証する（ステップＳ４０）。最適抵抗値がある場合（ステップＳ５０：Ｙｅｓ）は、その値に抵抗を設定する（ステップＳ６０）。最適抵抗値がない場合（ステップＳ５０：Ｎｏ）は、ケーブルが以上であると判断し、その旨の処理、例えば警告の出力処理を行う（ステップＳ７０）。
【００１５】
図５は、図４のステップＳ３０の詳細例を示す。まず、ＣＰＵ１５２は、親局２００への電源供給をＯＦＦする（ステップＳ１１０）。この後、ＣＰＵ１５２は親局２００への電源供給を再び開始する（ステップＳ１２０）ことで、親局２００を再起動する。この際、親局２００は、主制御装置１００に所定の信号、例えばログオン要求を出力する。そして、ＣＰＵ１５２は、タイマーをスタートした（ステップＳ１３０）後、親局から通信制御部１１０へのログオン要求を待つ（ステップＳ１４０）。
【００１６】
通信制御部１１０が所定時間内にログオン要求を受信しない場合（ステップＳ１５０：Ｎｏ、及びステップステップＳ１６０：Ｙｅｓ）、ＣＰＵ１５２は、抵抗値の設定が適切でないと判断し、当該抵抗値においてはログオン要求を受信しない旨を、メモリ１５４に書き込む（Ｓ１７０）。そして、抵抗設定値を変更し（ステップＳ１８０）、ステップＳ１１０に戻る。
【００１７】
通信制御部１１０は、所定時間内にログオン要求を受信した場合（ステップＳ１５０：Ｙｅｓ）、ログオン要求に対する応答を送信する（ステップＳ１９０）。そしてＣＰＵ１５２は、タイマーをスタートする（ステップＳ２００）。このタイマーは、ステップＳ１３０におけるタイマーと別の設定であってもよい。そして、再ログオンの要求を待つ。
【００１８】
通信制御部１１０が所定時間内に再ログオン要求を受信した場合（ステップＳ２１０：Ｎｏ）、ＣＰＵ１５２は、ログオン要求に対するログオン応答つまり親局２００が下り信号を正常に受信しないと判断し、、その旨を抵抗値に対応付けてメモリ１５４に格納する（Ｓ２２０）。
【００１９】
また、通信制御部１１０は、所定時間内に再ログオン要求を受信しない場合（ステップＳ２１０：Ｎｏ及びステップＳ２３０：Ｙｅｓ）、すなわちステップＳ１９０における応答を親局２００が受信した場合、親局２００との間でデータループテストを行う（ステップＳ２４０）。そして、ＣＰＵ１５２は、当該テスト結果を、抵抗値に対応付けてメモリ１５４に格納する（ステップＳ２５０）。
【００２０】
上述した動作を、抵抗設定値が最大値になるまで行う（ステップＳ２６０）。
【００２１】
すなわち、親局２００を再起動してから所定時間内にログオン要求を受信することを条件に、親局２００から主制御装置１００への通信は、当該抵抗値により良好であると判断できる。また、主制御装置１００からログオン応答を親局２００に送信した後、所定時間内に再ログオン要求を受信しないことを条件に、主制御装置１００から親局２００への通信は、当該抵抗値により良好であると判断できる。なお、上記した動作を、抵抗設定装置１３０が定期的に行うようにしてもよい。
【００２２】
従って、抵抗設定装置１３０を用いることで、ＰＨＳシステムの通信環境、例えばケーブルの状態が変化しても、自動で最適な抵抗値を設定し、通信状況を良好に保つことができる。
【００２３】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
例えば、主制御装置１００に抵抗設定装置１３０を設けたが、この代わりに、親局２００に抵抗設定装置１３０を設けてもよい。
【００２４】
なお、上記実施形態は、以下の抵抗設定装置を開示していることも明らかである。
コイルを介して互いに接続する２本の並列する通信用のケーブルと共に用いられ、前記コイルに対して並列に、前記２本のケーブルに設けられる可変抵抗の抵抗値を設定する抵抗設定装置であって、
前記ケーブルの通信状況を、前記可変抵抗複数の前記抵抗値の各々に対応付けて取得する取得部と、
前記取得部の取得結果に基づいて、前記可変抵抗の抵抗値を設定する設定部とを備えることを特徴とする抵抗設定装置。
【００２５】
【発明の効果】
上記説明から明らかなように、本発明によれば、ケーブルの通信環境の変化に応じて抵抗値を適切な値に設定し直すことが容易にできる。
【図面の簡単な説明】
【図１】本発明の１実施形態である通信システムの構成例を示す。
【図２】主制御装置１００と親局２００の接続構成例を示す。
【図３】終端抵抗制御措置１３０のメモリ１５４に格納されているデータの構成をテーブル形式で示す。
【図４】抵抗設定装置１３０の動作の一例を示す。
【図５】図４のステップＳ３０の詳細例を示す。
【符号の説明】
１３０  抵抗設定装置
１４０  可変抵抗器
１５０  抵抗制御部
１５２  ＣＰＵ
１５４  メモリ
【図１】
0003961315.tif 000002
【図２】
0003961315.tif 000003
【図３】
0003961315.tif 000004
【図４】
0003961315.tif 000005
【図５】
0003961315.tif 000006